(57)【要約】【課題】小規模施設にも対応できる安価な線量計、線量計を読み取るための読取装置、線量計を使用した入退域管理装置および入退域管理装置システムを提供することを目的とする。【解決手段】線量計１は、放射線を検出する放射線検出部１０と、放射線検出部１０から出力される信号を計数する計数部２０と、外部機器と信号の入出力を行う端子部３０と、電源を供給する電源部４０とを有し、外部機器からの制御信号により放射線量の測定を行う。線量計の部材点数を削減し部材組立時の組立工数を削減するとともに、信頼性を向上させるという多大な効果を奏する。【選択図】図１
2005249579.tif 000002
【特許請求の範囲】
【請求項１】
放射線を検出する放射線検出部と、前記放射線検出部から出力される信号を計数する計数部と、外部機器と信号の入出力を行う端子部と、電源を供給する電源部とを有する線量計。
【請求項２】
放射線を検出する放射線検出部と、前記放射線検出部から出力される信号を計数する計数部と、外部機器と信号の入出力を行う端子部と、前記端子部から入出力される信号のノイズ信号を除去するノイズ除去部と、電源を供給する電源部とを有する線量計。
【請求項３】
放射線を検出する放射線検出部と、前記放射線検出部から出力される信号を計数する計数部と、外部機器と信号の入出力を行う端子部と、電源を供給する電源部とを有し、前記端子部は前記放射線検出部の検出動作を確認するための信号を入力する線量計。
【請求項４】
放射線を検出する放射線検出部と、前記放射線検出部から出力される信号を計数する計数部と、外部機器と信号の入出力を行う端子部と、電源を供給する電源部とを有し、前記端子部は前記電源部の電源供給線を出力する線量計。
【請求項５】
放射線を検出する放射線検出部と、前記放射線検出部から出力される信号を計数する計数部と、外部機器と信号の入出力を行う端子部と、電源を供給する電源部とを有し、前記電源部はロック機構を有しロックおよびリリースにより交換できる線量計。
【請求項６】
放射線を検出する放射線検出部と、前記放射線検出部から出力される信号を計数する計数部と、外部機器と信号の入出力を行う端子部と、電源を供給する電源部と、電源部を一意に識別するための電源部番号を記憶する電源部番号記憶部を有する線量計。
【請求項７】
放射線を検出する放射線検出部と、前記放射線検出部から出力される信号を計数する計数部と、外部機器と信号の入出力を行う端子部と、電源を供給する電源部と、線量計を一意に識別するための線量計番号を記憶する線量計番号記憶部を有する線量計。
【請求項８】
線量計と信号の入出力を行う端子部と、計数部の計数結果を放射線量に換算するための換算定数を記憶する記憶部と、前記端子部から計数部の計数結果を入力し前記記憶部から換算定数を入力し計数部の計数結果を放射線量に換算する制御部とを有する読取装置。
【請求項９】
線量計と信号の入出力を行う端子部と、前記端子部から入出力される信号のノイズ信号を除去するノイズ除去部と、計数部の計数結果を放射線量に換算するための換算定数を記憶する記憶部と、前記端子部から計数部の計数結果を入力し前記記憶部から換算定数を入力し計数部の計数結果を放射線量に換算する制御部とを有する読取装置。
【請求項１０】
線量計と信号の入出力を行う端子部と、放射線検出部の検出動作を確認するための信号を生成する検出信号生成部と、放射線検出部の検出動作を確認するための検出基準値を記憶する記憶部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認する制御部とを有する読取装置。
【請求項１１】
線量計と信号の入出力を行う端子部と、電源部の電圧値を確認するための電圧基準値を記憶する記憶部と、前記端子部から電源部の電源供給線を入力し電源部の電圧値を測定する電圧測定部と、前記記憶部から電圧基準値を入力し前記電圧測定部から電源部の電圧値を入力し電圧基準値と電源部の電圧値を比較することにより電源部の電圧値を確認する制御部とを有する読取装置。
【請求項１２】
線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し、電源部の電圧値が電圧基準値を下まわる場合は電源交換部に電源交換命令を出力する制御部とを有する読取装置。
【請求項１３】
線量計を一意に識別するための線量計番号を読み取る線量計番号読取部と、電源部を一意に識別するための電源部番号を読み取る電源部番号読取部と、線量計番号と電源部番号を関連付けて記憶する記憶部と、前記線量計番号読取部から線量計番号を入力し前記電源部番号読取部から電源部番号を入力し線量計番号と電源部番号を関連付けて前記記憶部に出力する制御部とを有する読取装置。
【請求項１４】
線量計と信号の入出力を行う端子部と、線量計を一意に識別するための線量計番号を読み取る線量計番号読取部と、計数部の計数結果を放射線量に換算するための換算定数と線量計番号と放射線量を関連付けて記憶する記憶部と、前記端子部から計数部の計数結果を入力し前記記憶部から換算定数を入力し前記線量計番号読取部から線量計番号を入力し計数部の計数結果を放射線量に換算し線量計番号と放射線量を関連付けて前記記憶部に出力する制御部とを有する読取装置。
【請求項１５】
作業者を一意に識別するための作業者番号を入力する作業者番号入力部と、線量計と信号の入出力を行う端子部と、計数部の計数結果を放射線量に換算するための換算定数と管理区域内で作業する作業者の作業者情報を記憶する記憶部と、作業者の退域判定結果を表示する表示部と、前記作業者番号入力部から作業者番号を入力し前記端子部から計数部の計数結果を入力し前記記憶部から換算定数を入力し計数部の計数結果を放射線量に換算し前記記憶部から作業者情報を入力し放射線量と作業者情報を比較することにより該作業者の退域を判定し退域判定結果を前記表示部に出力する制御部とを有する入退域管理装置。
【請求項１６】
線量計と信号の入出力を行う端子部と、放射線検出部の検出動作を確認するための信号を生成する検出信号生成部と、放射線検出部の検出動作を確認するための検出基準値を記憶する記憶部と、放射線検出部の検出動作の確認結果を表示する表示部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果を前記表示部に出力する制御部とを有する入退域管理装置。
【請求項１７】
線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力する制御部とを有する入退域管理装置。
【請求項１８】
線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力するとともに電源部の電圧値が電圧基準値を下まわる場合は電源交換部に電源交換命令を出力する制御部とを有する入退域管理装置。
【請求項１９】
線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、交換済みの電源を充電する電源充電部と、線量計の電源部を交換し前記電源充電部にセットする電源交換部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力するとともに電源部の電圧値が電圧基準値を下まわる場合は電源交換部に電源交換命令を出力し前記電源交換部により交換された交換済みの電源を前記電源充電部により充電する制御部とを有する入退域管理装置。
【請求項２０】
線量計を一意に識別するための線量計番号を読み取る線量計番号読取部と、電源部を一意に識別するための電源部番号を読み取る電源部番号読取部と、線量計番号と電源部番号を関連付けて記憶する記憶部と、前記線量計番号読取部から線量計番号を入力し前記電源部番号読取部から電源部番号を入力し線量計番号と電源部番号を関連付けて前記記憶部に出力する制御部とを有する入退域管理装置。
【請求項２１】
作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数と管理区域内で作業する作業者の作業者情報と線量計番号と放射線量と作業者情報を関連付けて記憶する記憶部と、前記作業者番号入力部から作業者番号を入力し前記端子部から計数部の計数結果を入力し前記記憶部から換算定数と作業者情報を入力し前記線量計番号読取部から線量計番号を入力し計数部の計数結果を放射線量に換算し線量計番号と放射線量と作業者情報を関連付けて前記記憶部に出力する制御部とを有する入退域管理装置。
【請求項２２】
作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数を記憶する記憶部と、管理区域内で作業する作業者の作業者情報を記憶する上位計算機と通信する通信部と、前記作業者番号入力部から作業者番号を入力し前記端子部から計数部の計数結果を入力し前記記憶部から換算定数を入力し計数部の計数結果を放射線量に換算し前記線量計番号読取部から線量計番号を入力し作業者情報と放射線量と線量計番号を関連付けて前記通信部に出力する制御部とを有する入退域管理装置。
【請求項２３】
作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数と管理区域内で作業する作業者の作業者情報を記憶する上位計算機と通信する通信部と、前記作業者番号入力部から作業者番号を入力し前記端子部から計数部の計数結果を入力し前記線量計番号読取部から線量計番号を入力し作業者番号と計数結果と線量計番号を関連付けて前記通信部に出力する制御部とを有する入退域管理装置。
【請求項２４】
線量計と信号の入出力を行う端子部と、放射線検出部の検出動作を確認するための信号を生成する検出信号生成部と、放射線検出部の検出動作を確認するための検出基準値を記憶する記憶部と、線量計の放射線検出部を管理するための放射線検出部管理情報を記憶する上位計算機と通信する通信部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果を前記通信部に出力する制御部とを有する入退域管理装置。
【請求項２５】
線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を管理するための電源部管理情報を記憶する上位計算機と通信する通信部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記通信部に出力する制御部とを有する入退域管理装置。
【請求項２６】
線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を管理するための電源部管理情報を記憶する上位計算機と通信する通信部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し、電源部の電圧値が電圧基準値を下まわる場合は電源交換部に電源交換命令を出力し、電源部を交換したことを示す情報を前記通信部に出力する制御部とを有する入退域管理装置。
【請求項２７】
線量計を一意に識別するための線量計番号を読み取る線量計番号読取部と、電源部を一意に識別するための電源部番号を読み取る電源部番号読取部と、線量計の電源部を管理するための電源部管理情報を記憶する上位計算機と通信する通信部と、前記線量計番号読取部から線量計番号を入力し前記電源部番号読取部から電源部番号を入力し線量計番号と電源部番号を前記通信部に出力する制御部とを有する入退域管理装置。
【請求項２８】
放射線量を計測する線量計と、作業者の入域または退域を管理する入退域管理装置と、計数部の計数結果を放射線量に換算するための換算定数と管理区域内で作業する作業者の作業者情報を記憶する上位計算機により構成される入退域管理システムであって、
前記線量計は放射線を検出する放射線検出部と、前記放射線検出部から出力される信号を計数する計数部と、外部機器と信号の入出力を行う端子部と、電源を供給する電源部と、線量計を一意に識別するための線量計番号を記憶する線量計番号記憶部を有し、
前記入退域管理装置は作業者を一意に識別するための作業者番号を入力する作業者番号入力部と、線量計と信号の入出力を行う端子部と、線量計を一意に識別するための線量計番号を読み取る線量計番号読取部と、前期上位計算機と通信する通信部と、前記作業者番号入力部から作業者番号を入力し前記端子部から計数部の計数結果を入力し前記線量計番号読取部から線量計番号を入力し作業者番号と計数結果と線量計番号を関連付けて前記通信部に出力する制御部とを有し、
前記上位計算機は管理区域内で作業する作業者の作業者情報と計数部の計数結果を放射線量に換算するための換算定数を線量計毎に個別に記憶する記憶部と、前記入退域管理装置と通信する通信部と、前記記憶部から計数部の計数結果を放射線量に換算するための換算定数を検索する換算定数検索部と、前記記憶部に作業者情報を書き込む作業者情報書込部と、前記通信部から作業者番号と計数結果と線量計番号を受信し前記換算定数検索部に作業者番号を出力し前記換算定数検索部から該線量計の換算定数を入力し計数結果を放射線量に換算し前記作業者情報書込部に該作業者の作業者番号と放射線量と線量計番号を出力する制御部を有する入退域管理システム。
【請求項２９】
放射線量を計測する線量計と、作業者の入域または退域を管理する入退域管理装置と、線量計の放射線検出部を管理するための放射線検出部管理情報を記憶する上位計算機により構成される入退域管理システムであって、
前記線量計は放射線を検出する放射線検出部と、前記放射線検出部から出力される信号を計数する計数部と、前記放射線検出部の検出動作を確認するための信号の入出力を行う端子部と、電源を供給する電源部と、線量計を一意に識別するための線量計番号を記憶する線量計番号記憶部を有し、
前記入退域管理装置は線量計と信号の入出力を行う端子部と、線量計を一意に識別するための線量計番号を読み取る線量計番号読取部と、放射線検出部の検出動作を確認するための信号を生成する検出信号生成部と、放射線検出部の検出動作を確認するための検出基準値を記憶する記憶部と、線量計の放射線検出部を管理するための放射線検出部管理情報を記憶する上位計算機と通信する通信部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果と線量計番号を前記通信部に出力する制御部とを有し、
前記上位計算機は線量計の放射線検出部を管理するための放射線検出部管理情報を記憶する記憶部と、前記入退域管理装置と通信する通信部と、前記記憶部に放射線検出部管理情報を書き込む放射線検出部管理情報書込部と、前記通信部から放射線検出部の検出動作の確認結果と線量計番号を受信し前記放射線検出部管理情報書込部に該線量計の放射線検出部の検出動作の確認結果と線量計番号を出力する制御部を有する入退域管理システム。
【請求項３０】
放射線量を計測する線量計と、作業者の入域または退域を管理する入退域管理装置と、線量計の電源部を管理するための電源部管理情報を記憶する上位計算機により構成される入退域管理システムであって、
前記線量計は放射線を検出する放射線検出部と、前記放射線検出部から出力される信号を計数する計数部と、電源を供給する電源部と、前記電源部の電圧値を出力する端子部と、線量計を一意に識別するための線量計番号を記憶する線量計番号記憶部とを有し、
前記入退域管理装置は前記線量計の電源部の電圧値を入力する端子部と、線量計を一意に識別するための線量計番号を読み取る線量計番号読取部と、前記線量計の電源部の電圧値を確認するための電圧基準値を記憶する記憶部と、線量計の電源部を管理するための電源部管理情報を記憶する上位計算機と通信する通信部と、前記線量計番号読取部から線量計番号を入力し前記端子部から電源部の電圧値を入力し前記記憶部から電圧基準値を入力し電源部の電圧値と電圧基準値を比較することにより電源部の電圧値を確認し電源部の電圧値の確認結果と線量計番号を前記通信部に出力する制御部とを有し、
前記上位計算機は線量計の電源部を管理するための電源部管理情報を記憶する記憶部と、前記入退域管理装置と通信する通信部と、前記記憶部に電源部管理情報を書き込む電源部管理情報書込部と、前記通信部から電源部の電圧値の確認結果と線量計番号を受信し前記電源部管理情報書込部に該線量計の電源部の電圧値の確認結果と線量計番号を出力する制御部を有する入退域管理システム。
【発明の詳細な説明】
【技術分野】
【０００１】
本発明は、放射線量を測定する線量計、線量計を読み取るための読取装置、線量計を使用した入退域管理装置および入退域管理装置システムに関するものである。
【背景技術】
【０００２】
一般に線量計は熱蛍光線量計やフイルムバッジのように放射線量を蓄積し、放射線量を読み取る場合は専用の読取装置を使用するタイプと、電子式線量計のように放射線量をリアルタイムに表示するタイプがある。
【０００３】
電子式線量計の構成を示すブロック図として、図２０従来の電子式線量計のブロック構成図が公開されている（例えば、特許文献１参照）。
【０００４】
図２０に基づき電子式線量計の構成を説明する。図２０において、５０１は放射線センサであるシリコン半導体検出器、５０２はシリコン半導体検出器５０１から出力される信号を計数する計数器、５０３は電子式線量計全体を制御するＣＰＵ、５０４は放射線量値を表示する液晶表示器、５０５は放射線量が警報値を越えたとき作業者に警報を知らせる警報用ブザー、５０６は外部機器と通信するための通信用インターフェス、５０７はクロック信号を出力するタイマである。
【０００５】
シリコン半導体検出器５０１は、放射線が入射するとパルス信号を出力する。計数器５０２は、パルス信号を入力計数し、ＣＰＵ５０３の指示により計数結果を出力する。ＣＰＵ５０３は、計数器５０２から計数結果を入力し放射線量に換算し、液晶表示器５０４にリアルタイムに出力する。
【０００６】
電子式線量計には予め警報値が設定されており、ＣＰＵ５０３は放射線量が警報値を越えたとき、警報用ブザー５０５をＯＮする。
【０００７】
また、ＣＰＵ５０３は外部機器と通信する場合、通信用インターフェス５０６を介して外部機器と通信する。
【０００８】
また、電子式線量計の機構を示す図として、分解斜視図が公開されている（例えば、特許文献２参照）。
【特許文献２】特開平１０−１２３２５５号公報（第１図）
【特許文献１】特開２０００−９８０３５号公報（第１図）
【発明の開示】
【発明が解決しようとする課題】
【０００９】
しかしながら、上記電子式線量計は、リアルタイムに放射線量や警報を発生させるなど、便利な面のあるものの、構成部品に高価なＣＰＵや液晶表示器などを使用するため、コスト削減に限界があり、研究施設や病院など小規模の放射線管理区域を有する施設に普及しなかった。
【００１０】
なお、本明細書において、ＣＰＵとは少なくとも制御機能と論演算機能と入出力機能を備え、装置全体をコントロールするものである。
【００１１】
本発明は、上記従来の課題に鑑み、小規模施設にも対応できる安価な線量計、線量計を読み取るための読取装置、線量計を使用した入退域管理装置および入退域管理装置システムを提供することを目的とする。
【課題を解決するための手段】
【００１２】
上記目的を達成するために、本発明の線量計は、放射線を検出する放射線検出部と、前記放射線検出部から出力される信号を計数する計数部と、外部機器と信号の入出力を行う端子部と、電源を供給する電源部とを備えている。
【００１３】
この構成によれば、線量計内部にＣＰＵを具備しなくても放射線量の測定ができるので、安価な線量計を製造できる。
【００１４】
本発明の線量計は、放射線を検出する放射線検出部と、前記放射線検出部から出力される信号を計数する計数部と、外部機器と信号の入出力を行う端子部と、前記端子部から入出力される信号のノイズ信号を除去するノイズ除去部と、電源を供給する電源部とを備えている。
【００１５】
この構成によれば、端子部から入出力される信号のノイズ信号を除去できるので計数部がノイズ信号に影響される障害を防止できる。
【００１６】
本発明の線量計は、放射線を検出する放射線検出部と、前記放射線検出部から出力される信号を計数する計数部と、外部機器と信号の入出力を行う端子部と、電源を供給する電源部とを有し、前記端子部は前記放射線検出部の検出動作を確認するための信号を入力する。
【００１７】
この構成によれば、線源を使用することなく、容易に放射線検出部の健全性を確認できる。
【００１８】
本発明の線量計は、放射線を検出する放射線検出部と、前記放射線検出部から出力される信号を計数する計数部と、外部機器と信号の入出力を行う端子部と、電源を供給する電源部とを有し、前記端子部は前記電源部の電源供給線を出力する。
【００１９】
この構成によれば、放射線量の読取動作と連動して、容易に電源部の健全性を確認できる。
【００２０】
本発明の線量計は、放射線を検出する放射線検出部と、前記放射線検出部から出力される信号を計数する計数部と、外部機器と信号の入出力を行う端子部と、電源を供給する電源部とを有し、前記電源部はロック機構を有しロックおよびリリースにより交換できる。
【００２１】
この構成によれば、電源部の電圧値が低下し交換が必要なとき、容易に電源部を交換できる。
【００２２】
本発明の線量計は、放射線を検出する放射線検出部と、前記放射線検出部から出力される信号を計数する計数部と、外部機器と信号の入出力を行う端子部と、電源を供給する電源部と、電源部を一意に識別するための電源部番号を記憶する電源部番号記憶部を備えている。
【００２３】
この構成によれば、電源部を一元的に管理できる。
【００２４】
本発明の線量計は、放射線を検出する放射線検出部と、前記放射線検出部から出力される信号を計数する計数部と、外部機器と信号の入出力を行う端子部と、電源を供給する電源部と、線量計を一意に識別するための線量計番号を記憶する線量計番号記憶部を備えている。
【００２５】
この構成によれば、線量計を一元的に管理できる。
【００２６】
本発明の読取装置は、線量計と信号の入出力を行う端子部と、計数部の計数結果を放射線量に換算するための換算定数を記憶する記憶部と、前記端子部から計数部の計数結果を入力し前記記憶部から換算定数を入力し計数部の計数結果を放射線量に換算する制御部とを備えている。
【００２７】
この構成によれば、線量計内部にＣＰＵを具備しなくても読取装置の制御部からの制御信号により放射線量の測定ができる。
【００２８】
本発明の読取装置は、線量計と信号の入出力を行う端子部と、前記端子部から入出力される信号のノイズ信号を除去するノイズ除去部と、計数部の計数結果を放射線量に換算するための換算定数を記憶する記憶部と、前記端子部から計数部の計数結果を入力し前記記憶部から換算定数を入力し計数部の計数結果を放射線量に換算する制御部とを備えている。
【００２９】
この構成によれば、端子部から入出力される信号のノイズ信号を除去できるので計数部がノイズ信号に影響される障害を防止できる。
【００３０】
本発明の読取装置は、線量計と信号の入出力を行う端子部と、放射線検出部の検出動作を確認するための信号を生成する検出信号生成部と、放射線検出部の検出動作を確認するための検出基準値を記憶する記憶部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認する制御部とを備えている。
【００３１】
この構成によれば、放射線量の読取動作と連動して、線源を使用することなく、容易に放射線検出部の健全性を確認できる。
【００３２】
本発明の読取装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、前記記憶部から電圧基準値を入力し前記電圧測定部から電源部の電圧値を入力し電圧基準値と電源部の電圧値を比較することにより電源部の電圧値を確認する制御部とを備えている。
【００３３】
この構成によれば、放射線量の読取動作と連動して、容易に電源部の健全性を確認できる。
【００３４】
本発明の読取装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し、電源部の電圧値が電圧基準値を下まわる場合は電源交換部に電源交換命令を出力する制御部とを備えている。
【００３５】
この構成によれば、放射線量の読取動作と連動して、電源部の電圧値が低下し交換が必要なとき、容易に電源部を交換できる。
【００３６】
本発明の読取装置は、線量計を一意に識別するための線量計番号を読み取る線量計番号読取部と、電源部を一意に識別するための電源部番号を読み取る電源部番号読取部と、線量計番号と電源部番号を関連付けて記憶する記憶部と、前記線量計番号読取部から線量計番号を入力し前記電源部番号読取部から電源部番号を入力し線量計番号と電源部番号を関連付けて前記記憶部に出力する制御部とを備えている。
【００３７】
この構成によれば、放射線量の読取動作と連動して、線量計番号と電源部番号の組み合わせデータ収集でき、電源部を一元的に管理できる。
【００３８】
本発明の読取装置は、線量計と信号の入出力を行う端子部と、線量計を一意に識別するための線量計番号を読み取る線量計番号読取部と、計数部の計数結果を放射線量に換算するための換算定数と線量計番号と放射線量を関連付けて記憶する記憶部と、前記端子部から計数部の計数結果を入力し前記記憶部から換算定数を入力し前記線量計番号読取部から線量計番号を入力し計数部の計数結果を放射線量に換算し線量計番号と放射線量を関連付けて前記記憶部に出力する制御部とを備えている。
【００３９】
この構成によれば、線量計の使用履歴を容易に収集でき、線量計を一元的に管理できる。
【００４０】
本発明の入退域管理装置は、作業者を一意に識別するための作業者番号を入力する作業者番号入力部と、線量計と信号の入出力を行う端子部と、計数部の計数結果を放射線量に換算するための換算定数と管理区域内で作業する作業者の作業者情報を記憶する記憶部と、作業者の退域判定結果を表示する表示部と、前記作業者番号入力部から作業者番号を入力し前記端子部から計数部の計数結果を入力し前記記憶部から換算定数を入力し計数部の計数結果を放射線量に換算し前記記憶部から作業者情報を入力し放射線量と作業者情報を比較することにより該作業者の退域を判定し退域判定結果を前記表示部に出力する制御部とを備えている。
【００４１】
この構成によれば、線量計内部にＣＰＵを具備しなくても入退域管理装置のＣＰＵからの制御信号により放射線量の測定ができる。
【００４２】
本発明の入退域管理装置は、線量計と信号の入出力を行う端子部と、放射線検出部の検出動作を確認するための信号を生成する検出信号生成部と、放射線検出部の検出動作を確認するための検出基準値を記憶する記憶部と、放射線検出部の検出動作の確認結果を表示する表示部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果を前記表示部に出力する制御部とを備えている。
【００４３】
この構成によれば、入域処理と連動して、線源を使用することなく、容易に放射線検出部の健全性を確認できる。
【００４４】
本発明の入退域管理装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力する制御部とを備えている。
【００４５】
この構成によれば、入域処理と連動して、容易に電源部の健全性を確認できる。
【００４６】
本発明の入退域管理装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力するとともに電源部の電圧値が電圧基準値を下まわる場合は電源交換部に電源交換命令を出力する制御部とを備えている。
【００４７】
この構成によれば、入域処理と連動して、電源部の電圧値が低下し交換が必要なとき、容易に電源部を交換できる。
【００４８】
本発明の入退域管理装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、電源部の電圧値の確認結果を表示する表示部と、交換済みの電源を充電する電源充電部と、線量計の電源部を交換し前記電源充電部にセットする電源交換部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記表示部に出力するとともに電源部の電圧値が電圧基準値を下まわる場合は電源交換部に電源交換命令を出力し前記電源交換部により交換された交換済みの電源を前記電源充電部により充電する制御部とを備えている。
【００４９】
この構成によれば、入域処理と連動して、電源部の電圧値が低下し交換が必要なとき、容易に電源部を交換し、さらに自動的に交換済みの電源を充電できる。
【００５０】
本発明の入退域管理装置は、線量計を一意に識別するための線量計番号を読み取る線量計番号読取部と、電源部を一意に識別するための電源部番号を読み取る電源部番号読取部と、線量計番号と電源部番号を関連付けて記憶する記憶部と、前記線量計番号読取部から線量計番号を入力し前記電源部番号読取部から電源部番号を入力し線量計番号と電源部番号を関連付けて前記記憶部に出力する制御部とを備えている。
【００５１】
この構成によれば、入域処理と連動して、線量計番号と電源部番号の組み合わせデータ収集でき、電源部を一元的に管理できる。
【００５２】
本発明の入退域管理装置は、作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数と管理区域内で作業する作業者の作業者情報と線量計番号と放射線量と作業者情報を関連付けて記憶する記憶部と、前記作業者番号入力部から作業者番号を入力し前記端子部から計数部の計数結果を入力し前記記憶部から換算定数と作業者情報を入力し前記線量計番号読取部から線量計番号を入力し計数部の計数結果を放射線量に換算し線量計番号と放射線量と作業者情報を関連付けて前記記憶部に出力する制御部とを備えている。
【００５３】
この構成によれば、退域処理と連動して、線量計の使用履歴を容易に収集でき、線量計を一元的に管理できる。
【００５４】
本発明の入退域管理装置は、作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数を記憶する記憶部と、管理区域内で作業する作業者の作業者情報を記憶する上位計算機と通信する通信部と、前記作業者番号入力部から作業者番号を入力し前記端子部から計数部の計数結果を入力し前記記憶部から換算定数を入力し計数部の計数結果を放射線量に換算し前記線量計番号読取部から線量計番号を入力し作業者情報と放射線量と線量計番号を関連付けて前記通信部に出力する制御部とを備えている。
【００５５】
この構成によれば、退域処理と連動して、作業者情報と放射線量と線量計番号を容易に収集でき、これらの情報を外部機器において一元的に管理できる。
【００５６】
本発明の入退域管理装置は、作業者を一意に識別するための作業者番号を入力する作業者番号入力部と、線量計と信号の入出力を行う端子部と、線量計を一意に識別するための線量計番号を読み取る線量計番号読取部と、計数部の計数結果を放射線量に換算するための換算定数と管理区域内で作業する作業者の作業者情報を記憶する上位計算機と通信する通信部と、前記作業者番号入力部から作業者番号を入力し前記端子部から計数部の計数結果を入力し前記線量計番号読取部から線量計番号を入力し作業者番号と計数結果と線量計番号を関連付けて前記通信部に出力する制御部とを備えている。
【００５７】
この構成によれば、退域処理と連動して、作業者情報と放射線量と線量計番号を容易に収集でき、これらの情報を外部機器において一元的に管理できる。さらに線量計毎に換算定数を個別に設定できる。
【００５８】
本発明の入退域管理装置は、線量計と信号の入出力を行う端子部と、放射線検出部の検出動作を確認するための信号を生成する検出信号生成部と、放射線検出部の検出動作を確認するための検出基準値を記憶する記憶部と、線量計の放射線検出部を管理するための放射線検出部管理情報を記憶する上位計算機と通信する通信部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果を前記通信部に出力する制御部とを備えている。
【００５９】
この構成によれば、入域処理と連動して、線源を使用することなく、容易に放射線検出部の健全性を確認でき、この情報を外部機器において一元的に管理できる。
【００６０】
本発明の入退域管理装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を管理するための電源部管理情報を記憶する上位計算機と通信する通信部と、前記記憶部から電圧基準値を入力し前記電圧測定部から電源部の電圧値を入力し電圧基準値と電源部の電圧値を比較することにより電源部の電圧値を確認し電源部の電圧値の確認結果を前記通信部に出力する制御部とを備えている。
【００６１】
この構成によれば、入域処理と連動して、容易に電源部の健全性を確認でき、この情報を外部機器において一元的に管理できる。
【００６２】
本発明の入退域管理装置は、線量計と信号の入出力を行う端子部と、電源部の電圧値を確認するための電圧基準値を記憶する記憶部と、前記端子部から電源部の電源供給線を入力し電源部の電圧値を測定する電圧測定部と、線量計の電源部を管理するための電源部管理情報を記憶する上位計算機と通信する通信部と、線量計の電源部を交換する電源交換部と、前記記憶部から電圧基準値を入力し前記電圧測定部から電源部の電圧値を入力し電圧基準値と電源部の電圧値を比較することにより電源部の電圧値を確認し、電源部の電圧値が電圧基準値を下まわる場合は電源交換部に電源交換命令を出力し、電源部を交換したことを示す情報を前記通信部に出力する制御部とを備えている。
【００６３】
この構成によれば、入域処理と連動して、電源部の電圧値が低下し交換が必要なとき、容易に電源部を交換でき、この情報を外部機器において一元的に管理できる。
【００６４】
本発明の入退域管理装置は、線量計を一意に識別するための線量計番号を読み取る線量計番号読取部と、電源部を一意に識別するための電源部番号を読み取る電源部番号読取部と、線量計の電源部を管理するための電源部管理情報を記憶する上位計算機と通信する通信部と、前記線量計番号読取部から線量計番号を入力し前記電源部番号読取部から電源部番号を入力し線量計番号と電源部番号を前記通信部に出力する制御部とを備えている。
【００６５】
この構成によれば、入域処理と連動して、線量計番号と電源部番号の組み合わせデータ収集でき、この情報を外部機器において一元的に管理できる。
【００６６】
本発明の入退域管理システムは、放射線量を計測する線量計と、作業者の入域または退域を管理する入退域管理装置と、計数部の計数結果を放射線量に換算するための換算定数と管理区域内で作業する作業者の作業者情報を記憶する上位計算機により構成される入退域管理システムであって、
前記線量計は放射線を検出する放射線検出部と、前記放射線検出部から出力される信号を計数する計数部と、外部機器と信号の入出力を行う端子部と、電源を供給する電源部と、線量計を一意に識別するための線量計番号を記憶する線量計番号記憶部を有し、
前記入退域管理装置は作業者を一意に識別するための作業者番号を入力する作業者番号入力部と、線量計と信号の入出力を行う端子部と、線量計を一意に識別するための線量計番号を読み取る線量計番号読取部と、前期上位計算機と通信する通信部と、前記作業者番号入力部から作業者番号を入力し前記端子部から計数部の計数結果を入力し前記線量計番号読取部から線量計番号を入力し作業者番号と計数結果と線量計番号を関連付けて前記通信部に出力する制御部とを有し、
前記上位計算機は管理区域内で作業する作業者の作業者情報と計数部の計数結果を放射線量に換算するための換算定数を線量計毎に個別に記憶する記憶部と、前記入退域管理装置と通信する通信部と、前記記憶部から計数部の計数結果を放射線量に換算するための換算定数を検索する換算定数検索部と、前記記憶部に作業者情報を書き込む作業者情報書込部と、前記通信部から作業者番号と計数結果と線量計番号を受信し前記換算定数検索部に作業者番号を出力し前記換算定数検索部から該線量計の換算定数を入力し計数結果を放射線量に換算し前記作業者情報書込部に該作業者の作業者番号と放射線量と線量計番号を出力する制御部を備えている。
【００６７】
この構成によれば、退域処理と連動して、作業者情報と放射線量と線量計番号を容易に収集でき、これらの情報を上位計算機において一元的に管理できる。さらに線量計毎に換算定数を個別に設定できる。
【００６８】
本発明の入退域管理システムは、放射線量を計測する線量計と、作業者の入域または退域を管理する入退域管理装置と、線量計の放射線検出部を管理するための放射線検出部管理情報を記憶する上位計算機により構成される入退域管理システムであって、
前記線量計は放射線を検出する放射線検出部と、前記放射線検出部から出力される信号を計数する計数部と、前記放射線検出部の検出動作を確認するための信号の入出力を行う端子部と、電源を供給する電源部と、線量計を一意に識別するための線量計番号を記憶する線量計番号記憶部を有し、
前記入退域管理装置は線量計と信号の入出力を行う端子部と、線量計を一意に識別するための線量計番号を読み取る線量計番号読取部と、放射線検出部の検出動作を確認するための信号を生成する検出信号生成部と、放射線検出部の検出動作を確認するための検出基準値を記憶する記憶部と、線量計の放射線検出部を管理するための放射線検出部管理情報を記憶する上位計算機と通信する通信部と、前記記憶部から検出基準値を入力し前記端子部を介して前記検出信号生成部から検出基準値に相当する放射線検出部の検出動作を確認するための信号を出力し前記端子部から計数部の計数結果を入力し計数部の計数結果と検出基準値を比較することにより放射線検出部の検出動作を確認し放射線検出部の検出動作の確認結果と線量計番号を前記通信部に出力する制御部とを有し、
前記上位計算機は線量計の放射線検出部を管理するための放射線検出部管理情報を記憶する記憶部と、前記入退域管理装置と通信する通信部と、前記記憶部に放射線検出部管理情報を書き込む放射線検出部管理情報書込部と、前記通信部から放射線検出部の検出動作の確認結果と線量計番号を受信し前記放射線検出部管理情報書込部に該線量計の放射線検出部の検出動作の確認結果と線量計番号を出力する制御部を備えている。
【００６９】
この構成によれば、入域処理と連動して、線源を使用することなく、容易に放射線検出部の健全性を確認でき、この情報を上位計算機において一元的に管理できる。
【００７０】
本発明の入退域管理システムは、放射線量を計測する線量計と、作業者の入域または退域を管理する入退域管理装置と、線量計の電源部を管理するための電源部管理情報を記憶する上位計算機により構成される入退域管理システムであって、
前記線量計は放射線を検出する放射線検出部と、前記放射線検出部から出力される信号を計数する計数部と、電源を供給する電源部と、前記電源部の電圧値を出力する端子部と、線量計を一意に識別するための線量計番号を記憶する線量計番号記憶部とを有し、
前記入退域管理装置は前記線量計の電源部の電圧値を入力する端子部と、線量計を一意に識別するための線量計番号を読み取る線量計番号読取部と、前記線量計の電源部の電圧値を確認するための電圧基準値を記憶する記憶部と、線量計の電源部を管理するための電源部管理情報を記憶する上位計算機と通信する通信部と、前記線量計番号読取部から線量計番号を入力し前記端子部から電源部の電圧値を入力し前記記憶部から電圧基準値を入力し電源部の電圧値と電圧基準値を比較することにより電源部の電圧値を確認し電源部の電圧値の確認結果と線量計番号を前記通信部に出力する制御部とを有し、
前記上位計算機は線量計の電源部を管理するための電源部管理情報を記憶する記憶部と、前記入退域管理装置と通信する通信部と、前記記憶部に電源部管理情報を書き込む電源部管理情報書込部と、前記通信部から電源部の電圧値の確認結果と線量計番号を受信し前記電源部管理情報書込部に該線量計の電源部の電圧値の確認結果と線量計番号を出力する制御部を備えている。
【００７１】
この構成によれば、入域処理と連動して、容易に電源部の健全性を確認でき、この情報を上位計算機において一元的に管理できる。
【発明の効果】
【００７２】
以上のように本発明によると、従来と比較して安価な線量計、線量計を読み取るための読取装置、線量計を使用した入退域管理装置および入退域管理装置システムを提供することができる。
【００７３】
また、線量計の部材点数を削減し部材組立時の組立工数を削減するとともに、信頼性を向上させるという多大な効果を奏する。
【発明を実施するための最良の形態】
【００７４】
（実施の形態１）
以下、本発明の実施の形態１について、図１、図２を用いて説明する。
【００７５】
図１は、線量計のブロック構成図である。
【００７６】
図１において、１は線量計であり、１０は放射線の入射を検出しパルス信号を出力する放射線検出部であり、例えばシリコン半導体検出器を使用する。
【００７７】
２０は放射線検出部１０が出力するパルス信号を入力し計数する計数部であり、例えば電子式カウンタを使用する。計数部２０は端子部３０を介して外部機器からのリセット信号・読取信号などに従い動作する。計数部２０はリセット信号を入力したとき、カウンタをリセットする。計数部２０は読取信号を入力したとき、カウンタの値を端子部３０を介して外部機器に出力する。
【００７８】
放射線検出部１０と計数部２０は、放射線検出部信号線１１により接続される。
【００７９】
１３は端子部３０から放射線検出部の検出動作を確認するための信号を放射線検出部信号線１１に入力する検出確認信号線である。本図では検出確認信号線１３はノイズ除去部５０を経由している。ノイズ除去部５０を経由させることで正確な検出確認が実施できる。
【００８０】
３０は外部機器と信号の入出力を行う端子部であり、例えば接触式のコネクタを使用する。計数部２０と端子部３０は、計数部信号線１２により接続される。
【００８１】
４０は電源供給線４５により線量計１を構成する放射線検出部１０と計数部２０と端子部３０に電源を供給する電源部であり、例えば一次電池または二次電池を使用する。
【００８２】
電源供給線４５は端子部３０を介して外部に出力される。
【００８３】
なお、端子部３０と電源部４０の間の電源供給線４５に切り替えスイッチを設け、電圧値を測定するときのみ、電圧値を出力するようにし、端子部３０におけるショート事故を未然に防止するようにしてもよい。
【００８４】
５０は計数部信号線１２および検出確認信号線１３のノイズ信号を除去するノイズ除去部であり、例えばノイズフィルターを使用する。
【００８５】
６０は線量計を一意に識別するための線量計番号を記憶する線量計番号記憶部であり、例えば二次元コードのような光学情報や非接触ＩＣチップを使用する。なお、本実施の形態では、一実施例として非接触ＩＣチップを使用する。
【００８６】
図２は、端子部の信号の定義を示す図である。信号は制御信号とデータ信号と電源信号の３つがある。Ｉ／Ｏはデータの入出力方向を示しており、Ｉは線量計１への入力、Ｏは線量計１から出力を示す。制御信号はリセット信号と読取信号とオーバーフロー信号があり、オーバーフロー信号は計数部２０のカウンタがオーバーフローしたときＯＮとなる。データ信号は１１ｂｉｔで構成される。電源信号は＋とＧＮＤにより構成される。
【００８７】
次に線量計１の放射線測定動作を説明する。
【００８８】
計数部２０は端子部３０を介してリセット信号を入力したとき、カウンタをリセットする。
【００８９】
計数部２０は放射線検出部信号線１１からパルス信号を入力し計数しカウンタの値を更新する。
【００９０】
計数部２０は端子部３０を介して読取信号を入力したとき、カウンタの値を外部機器に出力する。
【００９１】
なお、計数部２０はカウンタがオーバーフローしたとき、オーバーフロー信号をＯＮとし、外部機器に測定不能であることを通知する。
【００９２】
次に線量計１の放射線検出部の検出動作の確認動作を説明する。
【００９３】
計数部２０は端子部３０を介してリセット信号を入力したとき、カウンタをリセットする。
【００９４】
この間に外部機器より放射線検出部の検出動作を確認するための信号が端子部３０を介して入力され、検出確認信号線１３を経て放射線検出部信号線１１に入力され、計数部２０に入力される。
【００９５】
計数部２０は放射線検出部信号線１１からパルス信号を入力し計数しカウンタの値を更新する。
【００９６】
計数部２０は端子部３０を介して読取信号を入力したとき、カウンタの値を外部機器に出力する。
【００９７】
次に線量計１の線量計番号の読取動作を説明する。
【００９８】
線量計番号記憶部６０は、予め線量計を一意に識別するための線量計番号を記憶しており、専用のリーダを使用することで線量計番号の読取が可能となる。
【００９９】
例えば二次元コードのような光学情報を使用する場合は光学情報読取装置、非接触ＩＣチップを使用する場合は非接触ＩＣチップ専用のリーダを使用する。
【０１００】
以上のように線量計１は、外部機器からの信号に基づいて動作するので、従来の電子式線量計にあったＣＰＵを必要としない。従来の電子式線量計にあったＣＰＵ・液晶表示器・警報用ブザーなどの部品を含まないので大幅な製造コストの削減が実現できる。
【０１０１】
また、線量計の部材点数を削減し部材組立時の組立工数を削減するとともに、信頼性を向上させることができる。
【０１０２】
（実施の形態２）
以下、本発明の実施の形態２について、図３を用いて説明する。
【０１０３】
図３は、線量計の外観図および内部構造を示す断面図である。図３（ａ）は線量計の右側面図であり、図３（ｂ）はＡ−Ａ‘における断面図であり電源部を挿入する前の状態、図３（ｃ）はＡ−Ａ‘における断面図であり電源部を挿入した後の状態である。
【０１０４】
図３において、１は線量計である。
【０１０５】
４０は電源部であり、例えばボタン電池４１を組み込む機構となっている。
【０１０６】
４２は電源部４０側の電源端子であり、ボタン電池４１の電源を線量計１側の電源端子５１に供給する。
【０１０７】
４３はロック機構であり、電源部４０を電源部挿入部５２に挿入するとロック機構４３と突部５６がかみ合うことによりロックする。ロックリリースピン挿入部５４からロックリリースピン５３を挿入し、ロック機構４３を押し上げることでリリースする。
【０１０８】
４４は電源部を一意に識別するための電源部番号を記憶する電源部番号記憶部であり、例えば二次元コードのような光学情報や非接触ＩＣチップを使用する。なお、本実施の形態では、一実施例として二次元コードを使用する。
【０１０９】
４５は線量計１側の電源端子５１から基板５５に電源を供給する電源供給線である。
【０１１０】
５１は線量計１側の電源端子である。
【０１１１】
５２は電源部４０を挿入する電源部挿入部である。
【０１１２】
５３はロック機構４３をリリースするためのロックリリースピンである。
【０１１３】
５４はロックリリースピン５３を挿入するロックリリースピン挿入部である。
【０１１４】
５５は線量計１を構成する部品を実装した基板である。
【０１１５】
５６はロック機構４３をロックする突部である。
【０１１６】
次に電源部４０の交換動作を説明する。
【０１１７】
図３（ｃ）に示すように、ロックリリースピン挿入部５４からロックリリースピン５３を挿入し、ロック機構４３を押し上げることでリリースし、電源部４０を引き出す。
【０１１８】
図３（ｂ）に示すように、電源部４０を電源部挿入部５２に挿入するとロック機構４３と突部５６がかみ合うことによりロックする。また、電源部４０側の電源端子４２が線量計１側の電源端子５１に接続され、ボタン電池４１の電源を線量計１に供給する。
【０１１９】
次に電源部４０の電源部番号の読取動作を説明する。
【０１２０】
電源部番号記憶部４４は、予め電源部を一意に識別するための電源部番号を記憶しており、専用のリーダを使用することで電源部番号の読取が可能となる。
【０１２１】
例えば二次元コードのような光学情報を使用する場合は光学情報読取装置、非接触ＩＣチップを使用する場合は非接触ＩＣチップ専用のリーダを使用する。
【０１２２】
以上のように線量計１は、電源部４０を容易に交換できるとともに、電源部４０の管理に必要な電源部番号を提供することができる。
【０１２３】
（実施の形態３）
以下、本発明の実施の形態３について、図４、図５、図６を用いて説明する。
【０１２４】
図４は、読取装置のブロック構成図である。
【０１２５】
図４において、１は線量計であり、３０は線量計１の端子部である。なお、読取装置１０１が線量計１を読み取るとき、読取装置１０１の端子部１１２と線量計１の端子部３０は接触する形態となるように取り込み機構（図示せず）があるものとする。
【０１２６】
１０１は読取装置である。
【０１２７】
１１１は読取装置１０１全体および線量計１を制御する制御部であり、例えばＣＰＵを使用する。
【０１２８】
１１２は線量計１と信号の入出力を行う端子部であり、例えば接触式のコネクタを使用する。
【０１２９】
１１３は計数部の計数結果を放射線量に換算するための換算定数、放射線検出部の検出動作を確認するための検出基準値、電源部の電圧値を確認するための電圧基準値、線量計番号と電源部番号および線量計番号と放射線量を記憶する記憶部であり、例えばハードディスクを使用する。
【０１３０】
１１４は放射線量などを表示する表示部であり、例えば液晶表示装置を使用する。
【０１３１】
１１５は操作情報を入力するキー入力部であり、例えばキーボードを使用する。
【０１３２】
１１６は端子部１１２を介して入出力される計数部信号線１２および検出確認信号線１３のノイズ信号を除去するノイズ除去部であり、例えばノイズフィルターを使用する。
【０１３３】
なお、読取装置１０１にノイズ除去部を設けることで線量計１のノイズ除去部をなくすことが可能となり、線量計１の製造コストをさらに削減できる。
【０１３４】
１１７は放射線検出部の検出動作を確認するための信号を生成する検出信号生成部であり、例えば一定間隔でパルス信号を出力する。
【０１３５】
１１８は端子部１１２を介して入出力される電源供給線４５の電圧を測定する電圧測定部であり、例えば電圧計を使用する。
【０１３６】
１１９は線量計１の電源部４０を交換する電源交換部であり、実施の形態２において説明したように交換動作を実行する。
【０１３７】
１２０は線量計１の電源部番号記憶部４４（図示せず）の電源部番号を読み取る電源部番号読取部であり、例えば二次元コードのような光学情報を使用する場合は光学情報読取装置、非接触ＩＣチップを使用する場合は非接触ＩＣチップ専用のリーダを使用する。
【０１３８】
１２１は線量計１の線量計番号記憶部６０（図示せず）の線量計番号を読み取る線量計番号読取部であり、例えば二次元コードのような光学情報を使用する場合は光学情報読取装置、非接触ＩＣチップを使用する場合は非接触ＩＣチップ専用のリーダを使用する。
【０１３９】
次に読取装置１０１のリセット動作を説明する。
【０１４０】
制御部１１１は端子部１１２を介して線量計１にリセット信号を出力し、計数部２０のカウンタをリセットする。
【０１４１】
次に読取装置１０１の放射線測定動作を説明する。
【０１４２】
制御部１１１は端子部１１２を介して線量計１のオーバーフロー信号を入力し、オーバーフロー信号がＯＮの場合はエラー処理に移行する。オーバーフロー信号がＯＦＦの場合は放射線測定を継続する。
【０１４３】
制御部１１１は端子部１１２を介して線量計１に読取信号を出力し、計数結果として計数部２０のカウンタの値を入力する。
【０１４４】
制御部１１１は記憶部１１３から換算定数を入力し［式１］により計数結果を放射線量に換算する。
【０１４５】
【数１】
2005249579.tif 000003
【０１４６】
次に読取装置１０１の放射線検出部の検出動作の確認動作を説明する。
【０１４７】
図５は放射線検出部の検出動作を確認するための信号を示す図である。検出信号生成部１１７は、例えば１００ｍＳＥＣ当たり１．０Ｖのパルス信号を８パルス出力し、２００ｍＳＥＣ継続するとした場合、検出基準値は１６となる。
【０１４８】
なお、本実施の形態に示す数値および計算式は、一実施例でありこれらに限定されるものではない。
【０１４９】
制御部１１１は端子部１１２を介して線量計１にリセット信号を出力し、計数部２０のカウンタをリセットする。
【０１５０】
制御部１１１は検出信号生成部１１７に放射線検出部の検出動作を確認するための信号を出力するよう指示する。
【０１５１】
検出信号生成部１１７は放射線検出部の検出動作を確認するための信号を出力する。
【０１５２】
この間に計数部２０は放射線検出部信号線１１からパルス信号を入力し計数しカウンタの値を更新する。
【０１５３】
制御部１１１は端子部１１２を介して線量計１に読取信号を出力し、計数結果として計数部２０のカウンタの値を入力する。
【０１５４】
制御部１１１は記憶部１１３から検出基準値を入力し［式２］により計数部の計数結果と検出基準値を比較することにより放射線検出部の検出動作を確認する。
【０１５５】
［式２］が成り立つとき、放射線検出部１０は異常と判定され、［式２］が成り立たないとき、放射線検出部１０は正常と判定される。
【０１５６】
【数２】
2005249579.tif 000004
【０１５７】
次に読取装置１０１の電源部４０の電圧値の確認動作を説明する。
【０１５８】
読取装置１０１は端子部１１２を介して電源供給線４５を電圧測定部１１８に入力する。
【０１５９】
電圧測定部１１８は電源部４０の電圧値として電源供給線４５の電圧を測定し測定結果を制御部１１１に出力する。
【０１６０】
制御部１１１は記憶部１１３から電圧基準値を入力し［式３］により電圧基準値と電源部４０の電圧値を比較することにより電源部４０の電圧値を確認する。［式３］が成り立つとき、電源部４０は異常と判定され、［式３］が成り立たないとき、電源部４０は正常と判定される。
【０１６１】
【数３】
2005249579.tif 000005
【０１６２】
次に読取装置１０１の電源部４０の交換動作を説明する。
【０１６３】
制御部１１１は上記［式３］において、電源部の電圧値が電圧基準値を下まわる場合は電源交換部１１９に電源交換命令を出力する。
【０１６４】
電源交換部１１９は、図３（ｃ）に示すように、ロックリリースピン挿入部５４からロックリリースピン５３を挿入し、ロック機構４３を押し上げることでリリースし、電源部４０を引き出す。
【０１６５】
電源交換部１１９は、図３（ｂ）に示すように、新たな電源部４０をロック機構４３と突部５６がかみ合う位置まで電源部挿入部５２に挿入しロックする。
【０１６６】
次に読取装置１０１の線量計番号と電源部番号を関連付けて記憶する動作を説明する。
【０１６７】
電源部番号読取部１２０は電源部番号記憶部４４（図示せず）の電源部番号を読み取り、読取結果を制御部１１１に出力する。
【０１６８】
制御部１１１は電源部番号読取部１２０から読取結果を入力する。
【０１６９】
線量計番号読取部１２１は線量計番号記憶部６０（図示せず）の線量計番号を読み取り、読取結果を制御部１１１に出力する。
【０１７０】
制御部１１１は線量計番号読取部１２１から読取結果を入力する。
【０１７１】
制御部１１１は線量計番号と電源部番号を関連付けて記憶部１１３に出力する。
【０１７２】
次に読取装置１０１の線量計番号と放射線量を関連付けて記憶する動作を説明する。
【０１７３】
制御部１１１は［式１］により放射線量を算出する。
【０１７４】
線量計番号読取部１２１は線量計番号記憶部６０（図示せず）の線量計番号を読み取り、読取結果を制御部１１１に出力する。
【０１７５】
制御部１１１は線量計番号読取部１２１から読取結果を入力する。
【０１７６】
制御部１１１は線量計番号と放射線量を関連付けて記憶部１１３に出力する。
【０１７７】
図６は、記憶部の定義を示す図である。
【０１７８】
記憶部１１３は計数部の計数結果を放射線量に換算するための換算定数、放射線検出部の検出動作を確認するための検出基準値、電源部の電圧値を確認するための電圧基準値、線量計番号−電源部番号および線量計番号−放射線量を記憶する。
【０１７９】
線量計番号−電源部番号は、線量計番号と電源部番号を関連付けて記憶する状態を示しており、線量計番号を主キーとし該線量計に使用されている電源部４０の電源部番号を記憶する。
【０１８０】
線量計番号−放射線量は、線量計番号と放射線量を関連付けて記憶する状態を示しており、線量計番号を主キーとし過去Ｎ回（Ｎは正の整数）の放射線量を履歴データとして記憶する。
【０１８１】
以上のように読取装置１０１は、線量計１の内部にＣＰＵを具備しなくても読取装置１０１の制御部１１１からの制御信号により放射線量の測定ができる。
【０１８２】
（実施の形態４）
以下、本発明の実施の形態４について、図５、図７、図８、図９を用いて説明する。
【０１８３】
図７は入退域管理装置のブロック構成図である。
【０１８４】
図７において、１は線量計であり、３０は線量計１の端子部である。なお、入退域管理装置２０１が線量計１を読み取るとき、入退域管理装置２０１の端子部２１２と線量計１の端子部３０は接触する形態となるように取り込み機構（図示せず）があるものとする。
【０１８５】
２０１は入退域管理装置である。
【０１８６】
２１１は入退域管理装置２０１全体および線量計１を制御する制御部であり、例えばＣＰＵを使用する。
【０１８７】
２１２は線量計１と信号の入出力を行う端子部であり、例えば接触式のコネクタを使用する。
【０１８８】
２１３は計数部の計数結果を放射線量に換算するための換算定数、管理区域内で作業する作業者の作業者情報、放射線検出部の検出動作を確認するための検出基準値、電源部の電圧値を確認するための電圧基準値、線量計番号と電源部番号および線量計番号と放射線量を記憶する記憶部であり、例えばハードディスクを使用する。
【０１８９】
なお、作業者情報は作業者番号と該作業者が使用する線量計の線量計番号と該作業者の入域退域実績として入域および退域の年月日時分秒を過去Ｎ回（Ｎは正の整数）分記憶する。記憶部２１３の定義については、図９において詳細に説明する。
【０１９０】
２１４は作業者番号・入域／退域判定結果・放射線量・放射線検出部の検出動作の確認結果・電源部の電圧値の確認結果などを表示する表示部であり、例えば液晶表示装置を使用する。
【０１９１】
図８は、表示部の表示構成を示す図である。表示部２１４は左側に表示項目の名称を表示し、右側にそれらの値を表示する。
【０１９２】
２１５は作業者を一意に識別するための作業者番号を入力する作業者番号読取部であり、例えば非接触式ＩＣカードリーダを使用する。
【０１９３】
２１６は端子部２１２を介して入出力される計数部信号線１２および検出確認信号線１３のノイズ信号を除去するノイズ除去部であり、例えばノイズフィルターを使用する。
【０１９４】
なお、入退域管理装置２０１にノイズ除去部を設けることで線量計１のノイズ除去部をなくすことが可能となり、線量計１の製造コストをさらに削減できる。
【０１９５】
２１７は放射線検出部の検出動作を確認するための信号を生成する検出信号生成部であり、例えば一定間隔でパルス信号を出力する。
【０１９６】
２１８は端子部２１２を介して入出力される電源供給線４５の電圧を測定する電圧測定部であり、例えば電圧計を使用する。
【０１９７】
２１９は線量計１の電源部４０を交換する電源交換部であり、実施の形態２において説明したように交換動作を実行する。
【０１９８】
２２０は線量計１の電源部番号記憶部４４（図示せず）の電源部番号を読み取る電源部番号読取部であり、例えば二次元コードのような光学情報を使用する場合は光学情報読取装置、非接触ＩＣチップを使用する場合は非接触ＩＣチップ専用のリーダを使用する。
【０１９９】
２２１は線量計１の線量計番号記憶部６０（図示せず）の線量計番号を読み取る線量計番号読取部であり、例えば二次元コードのような光学情報を使用する場合は光学情報読取装置、非接触ＩＣチップを使用する場合は非接触ＩＣチップ専用のリーダを使用する。
【０２００】
２２２は交換済みの電源を充電する電源充電部であり、電源が二次電池の場合に充電する。
【０２０１】
次に入退域管理装置２０１の入域判定結果を前記表示部に出力する動作を説明する。
【０２０２】
制御部２１１は作業者番号読取部２１５より作業者番号を入力し、表示部２１４に出力する。
【０２０３】
制御部２１１は記憶部２１３の作業者情報を参照し該作業者番号が登録されていることを確認する。登録されていない場合は、入域警報処理に移行する。登録されている場合は、処理を継続する。
【０２０４】
制御部２１１は線量計番号読取部２２１より線量計番号を入力する。
【０２０５】
制御部２１１は記憶部２１３の作業者情報を参照し該作業者番号と該線量計番号の組み合わせが一致することを確認する。一致しない場合は、入域警報処理に移行する。一致する場合は、処理を継続する。
【０２０６】
制御部２１１は端子部２１２を介して線量計１にリセット信号を出力し、計数部２０のカウンタをリセットし、表示部２１４に放射線量０．００ｍＳｖを出力する。
【０２０７】
制御部２１１は記憶部２１３の作業者情報の入域退域実績１に入域年月日時分秒を設定する。
【０２０８】
制御部２１１は入域判定結果として「正常」を表示部２１４に出力する。
【０２０９】
次に入退域管理装置２０１の入域警報処理の動作を説明する。
【０２１０】
制御部２１１は入域判定結果として「警報」を表示部２１４に出力する。
【０２１１】
次に入退域管理装置２０１の退域判定結果を前記表示部に出力する動作を説明する。
【０２１２】
制御部２１１は作業者番号読取部２１５より作業者番号を入力し、表示部２１４に出力する。
【０２１３】
制御部２１１は記憶部２１３の作業者情報を参照し該作業者番号が登録されていることを確認する。登録されていない場合は、退域警報処理に移行する。登録されている場合は、処理を継続する。
【０２１４】
制御部２１１は線量計番号読取部２２１より線量計番号を入力する。
【０２１５】
制御部２１１は記憶部２１３の作業者情報を参照し該作業者番号と該線量計番号の組み合わせが一致することを確認する。一致しない場合は、退域警報処理に移行する。一致する場合は、処理を継続する。
【０２１６】
制御部２１１は端子部２１２を介して線量計１のオーバーフロー信号を入力し、オーバーフロー信号がＯＮの場合はエラー処理に移行する。オーバーフロー信号がＯＦＦの場合は、処理を継続する。
【０２１７】
制御部２１１は端子部２１２を介して線量計１に読取信号を出力し、計数結果として計数部２０のカウンタの値を入力する。
【０２１８】
制御部２１１は記憶部２１３から換算定数を入力し［式１］により計数結果を放射線量に換算し、表示部２１４に放射線量を出力する。
【０２１９】
制御部２１１は記憶部２１３の作業者情報と線量計番号−放射線量の放射線量を参照し該作業者番号の当日の放射線量の合計を算出し、放射線量の合計が予め決められた警報値を越えている場合は、退域警報処理に移行する。越えていない場合は、処理を継続する。
【０２２０】
制御部２１１は記憶部２１３の作業者情報の入域退域実績１に退域年月日時分秒を追加設定し、線量計番号−放射線量の放射線量１に放射線量を設定する。
【０２２１】
次に入退域管理装置２０１の退域警報処理の動作を説明する。
【０２２２】
制御部２１１は退域判定結果として「警報」を表示部２１４に出力する。
【０２２３】
次に入退域管理装置２０１の放射線検出部の検出動作の確認動作を説明する。
【０２２４】
検出信号生成部２１７は、図５と同様の放射線検出部の検出動作を確認するための信号を出力するものとする。
【０２２５】
なお、本実施の形態に示す数値および計算式は、一実施例でありこれらに限定されるものではない。
【０２２６】
制御部２１１は端子部２１２を介して線量計１にリセット信号を出力し、計数部２０のカウンタをリセットする。
【０２２７】
制御部２１１は検出信号生成部２１７に放射線検出部の検出動作を確認するための信号を出力するよう指示する。
【０２２８】
検出信号生成部２１７は放射線検出部の検出動作を確認するための信号を出力する。
【０２２９】
この間に計数部２０は放射線検出部信号線２１からパルス信号を入力し計数しカウンタの値を更新する。
【０２３０】
制御部２１１は端子部２１２を介して線量計１に読取信号を出力し、計数結果として計数部２０のカウンタの値を入力する。
【０２３１】
制御部２１１は記憶部２１３から検出基準値を入力し［式２］により計数部の計数結果と検出基準値を比較することにより放射線検出部の検出動作を確認する。
【０２３２】
［式２］が成り立つとき、放射線検出部１０は異常と判定され、［式２］が成り立たないとき、放射線検出部１０は正常と判定される。
【０２３３】
制御部２１１は表示部２１４に放射線検出部の検出動作の確認結果を出力する。
【０２３４】
次に入退域管理装置２０１の電源部４０の電圧値の確認動作を説明する。
【０２３５】
入退域管理装置２０１は端子部２１２を介して電源供給線４５を電圧測定部２１８に入力する。
【０２３６】
電圧測定部２１８は電源部４０の電圧値として電源供給線４５の電圧を測定し測定結果を制御部２１１に出力する。
【０２３７】
制御部２１１は記憶部２１３から電圧基準値を入力し［式３］により電圧基準値と電源部４０の電圧値を比較することにより電源部４０の電圧値を確認する。
【０２３８】
［式３］が成り立つとき、電源部４０は異常と判定され、［式３］が成り立たないとき、電源部４０は正常と判定される。
【０２３９】
制御部２１１は表示部２１４に電源部の電圧値の確認結果を出力する。
【０２４０】
次に入退域管理装置２０１の電源部４０の交換動作を説明する。
【０２４１】
制御部２１１は［式３］において、電源部の電圧値が電圧基準値を下まわる場合は電源交換部２１９に電源交換命令を出力する。
【０２４２】
電源交換部２１９は、図３（ｃ）に示すように、ロックリリースピン挿入部５４からロックリリースピン５３を挿入し、ロック機構４３を押し上げることでリリースし、電源部４０を引き出す。
【０２４３】
電源交換部２１９は、図３（ｂ）に示すように、新たな電源部４０をロック機構４３と突部５６がかみ合う位置まで電源部挿入部５２に挿入しロックする。
【０２４４】
次に入退域管理装置２０１の線量計番号と電源部番号を関連付けて記憶する動作を説明する。
【０２４５】
電源部番号読取部２２０は電源部番号記憶部４４（図示せず）の電源部番号を読み取り、読取結果を制御部２１１に出力する。
【０２４６】
制御部２１１は電源部番号読取部２２０から読取結果を入力する。
【０２４７】
線量計番号読取部２２１は線量計番号記憶部６０（図示せず）の線量計番号を読み取り、読取結果を制御部２１１に出力する。
【０２４８】
制御部２１１は線量計番号読取部２２１から読取結果を入力する。
【０２４９】
制御部２１１は線量計番号と電源部番号を関連付けて記憶部２１３に出力する。
【０２５０】
次に入退域管理装置２０１の線量計番号と放射線量を関連付けて記憶する動作を説明する。
【０２５１】
制御部２１１は［式１］により放射線量を算出する。
【０２５２】
線量計番号読取部２２１は線量計番号記憶部６０（図示せず）の線量計番号を読み取り、読取結果を制御部２１１に出力する。
【０２５３】
制御部２１１は線量計番号読取部２２１から読取結果を入力する。
【０２５４】
制御部２１１は線量計番号と放射線量を関連付けて記憶部２１３に出力する。
【０２５５】
図９は、記憶部の定義を示す図である。
【０２５６】
記憶部２１３は基本情報として、計数部の計数結果を放射線量に換算するための換算定数、放射線検出部の検出動作を確認するための検出基準値、電源部の電圧値を確認するための電圧基準値を記憶する。
【０２５７】
また、線量計情報として、線量計番号−電源部番号を記憶する。線量計番号−電源部番号は、線量計番号と電源部番号を関連付けて記憶する状態を示しており、線量計番号を主キーとし該線量計に使用されている電源部４０の電源部番号を記憶する。
【０２５８】
また、作業者情報として、放射線量情報と入域退域実績情報を記憶する。
【０２５９】
放射線量情報は、線量計番号−放射線量を記憶する。線量計番号−放射線量は、線量計番号と放射線量を関連付けて記憶する状態を示しており、線量計番号を主キーとし過去Ｎ回（Ｎは正の整数）の放射線量を履歴データとして記憶する。
【０２６０】
入域退域実績情報は、管理区域内で作業する作業者の作業者情報を記憶する。入域退域実績情報は、作業者番号と該作業者が使用する線量計の線量計番号と該作業者の入域退域実績として入域および退域の年月日時分秒を過去Ｎ回（Ｎは正の整数）分記憶する状態を示しており、作業者番号を主キーとし過去Ｎ回（Ｎは正の整数）の入域退域実績を履歴データとして記憶する。
【０２６１】
履歴データは、ＦＩＦＯ方式で順次更新される。
【０２６２】
上記に示すように線量計番号と放射線量と作業者情報を関連付けて記憶することにより、作業者情報から作業者番号を検索キーとして線量計番号を検索し、線量計番号−放射線量から線量計番号を検索キーとして放射線量を検索することができる。
【０２６３】
以上のように入退域管理装置２０１は、線量計１の内部にＣＰＵを具備しなくても入退域管理装置２０１の制御部２１１からの制御信号により放射線量の測定ができる。
【０２６４】
さらに、線量計１を管理するための各種データを収集することができる。
【０２６５】
（実施の形態５）
以下、本発明の実施の形態５について、図５、図１０、図１１、図１２を用いて説明する。
【０２６６】
なお、実施の形態４と同じ部分については、説明を省略する。
【０２６７】
図１０は入退域管理装置のブロック構成図である。
【０２６８】
図１０において、２２３は管理区域内で作業する作業者の作業者情報を記憶する上位計算機と通信する通信部であり、例えばＬＡＮを使用する。
【０２６９】
電源充電部２２２は、具備されていない。
【０２７０】
図１１は、記憶部の定義を示す図である。図１１（ａ）は計数部の計数結果を放射線量に換算する処理を入退域管理装置２０１が実行する場合の記憶部の定義を示す図であり、図１１（ｂ）は計数部の計数結果を放射線量に換算する処理を上位計算機３０１が実行する場合の記憶部の定義を示す図である。
【０２７１】
図１１（ａ）において、２１３は計数部の計数結果を放射線量に換算するための換算定数、放射線検出部の検出動作を確認するための検出基準値、電源部の電圧値を確認するための電圧基準値を記憶する記憶部であり、例えばハードディスクを使用する。
【０２７２】
なお、線量計番号と電源部番号、線量計番号と放射線量および作業者情報は上位計算機が記憶する。
【０２７３】
図１１（ｂ）において、２１３は放射線検出部の検出動作を確認するための検出基準値、電源部の電圧値を確認するための電圧基準値を記憶する記憶部であり、例えばハードディスクを使用する。
【０２７４】
なお、計数部の計数結果を放射線量に換算するための換算定数、線量計番号と電源部番号、線量計番号と放射線量および作業者情報は上位計算機が記憶する。計数部の計数結果を放射線量に換算するための換算定数を上位計算機が記憶することで、換算定数を線量計毎に個別に管理することが容易になる。
【０２７５】
図１２は上位計算機に送信する電文の構成を示す図である。図１２（ａ）は計数部の計数結果を放射線量に換算する処理を入退域管理装置２０１が実行する場合の電文の構成を示す図であり、図１２（ｂ）は計数部の計数結果を放射線量に換算する処理を上位計算機３０１が実行する場合の電文の構成を示す図である。
【０２７６】
図１２（ａ）において、電文は入域処理か退域処理かを示す電文区分と、作業者情報としての作業者番号、放射線量、線量計番号より構成され、これらを一体にして送信される。
【０２７７】
図１２（ｂ）において、電文は入域処理か退域処理かを示す電文区分と、作業者情報としての作業者番号、計数結果、線量計番号より構成され、これらを一体にして送信される。
【０２７８】
次に入退域管理装置２０１の入域処理において作業者情報と放射線量と線量計番号を関連付けて通信部に出力する動作を説明する。
【０２７９】
制御部２１１は作業者番号読取部２１５より作業者番号を入力し、表示部２１４に出力する。
【０２８０】
制御部２１１は線量計番号読取部２２１より線量計番号を入力する。
【０２８１】
制御部２１１は端子部２１２を介して線量計１にリセット信号を出力し、計数部２０のカウンタをリセットし、表示部２１４に放射線量０．００ｍＳｖを出力する。
【０２８２】
制御部２１１は図１２（ａ）の電文区分に入域処理、作業者番号、放射線量として０．００ｍＳｖ、線量計番号に該作業者の値を設定し送信する。
【０２８３】
次に入退域管理装置２０１の退域処理において作業者情報と放射線量と線量計番号を関連付けて通信部に出力する動作を説明する。
【０２８４】
制御部２１１は作業者番号読取部２１５より作業者番号を入力し、表示部２１４に出力する。
【０２８５】
制御部２１１は線量計番号読取部２２１より線量計番号を入力する。
【０２８６】
制御部２１１は端子部２１２を介して線量計１のオーバーフロー信号を入力し、オーバーフロー信号がＯＮの場合はエラー処理に移行する。オーバーフロー信号がＯＦＦの場合は、処理を継続する。
【０２８７】
制御部２１１は端子部２１２を介して線量計１に読取信号を出力し、計数結果として計数部２０のカウンタの値を入力する。
【０２８８】
制御部２１１は記憶部２１３から換算定数を入力し［式１］により計数結果を放射線量に換算し、表示部２１４に放射線量を出力する。
【０２８９】
制御部２１１は図１２（ａ）の電文区分に退域処理、作業者番号、放射線量、線量計番号に該作業者の値を設定し送信する。
【０２９０】
次に入退域管理装置２０１の入域処理において作業者情報と計数結果と線量計番号を関連付けて通信部に出力する動作を説明する。
【０２９１】
制御部２１１は作業者番号読取部２１５より作業者番号を入力し、表示部２１４に出力する。
【０２９２】
制御部２１１は線量計番号読取部２２１より線量計番号を入力する。
【０２９３】
制御部２１１は端子部２１２を介して線量計１にリセット信号を出力し、計数部２０のカウンタをリセットし、表示部２１４に計数結果０．００ｍＳｖを出力する。
【０２９４】
制御部２１１は図１２（ｂ）の電文区分に入域処理、作業者番号、計数結果として０、線量計番号に該作業者の値を設定し送信する。
【０２９５】
次に入退域管理装置２０１の退域処理において作業者情報と計数結果と線量計番号を関連付けて通信部に出力する動作を説明する。
【０２９６】
制御部２１１は作業者番号読取部２１５より作業者番号を入力し、表示部２１４に出力する。
【０２９７】
制御部２１１は線量計番号読取部２２１より線量計番号を入力する。
【０２９８】
制御部２１１は端子部２１２を介して線量計１のオーバーフロー信号を入力し、オーバーフロー信号がＯＮの場合はエラー処理に移行する。オーバーフロー信号がＯＦＦの場合は、処理を継続する。
【０２９９】
制御部２１１は端子部２１２を介して線量計１に読取信号を出力し、計数結果として計数部２０のカウンタの値を入力する。
【０３００】
制御部２１１は図１２（ｂ）の電文区分に退域処理、作業者番号、計数結果、線量計番号に該作業者の値を設定し送信する。
【０３０１】
次に入退域管理装置２０１の放射線検出部の検出動作の確認結果を通信部に出力する動作を説明する。
【０３０２】
図１２（ｃ）は計数部の計数結果を放射線量に換算する処理を入退域管理装置２０１が実行する場合に放射線検出部の検出動作の確認結果を通知する電文の構成を示す図である。なお、放射線検出部の検出動作の確認は、通常入域処理において実行するので、退域処理の説明を省略する。
【０３０３】
また、放射線検出部の検出動作を判定するまでの動作は実施の形態４と同じなので説明を省略する。
【０３０４】
制御部２１１は図１２（ｃ）の電文区分に入域処理、作業者番号、放射線量、線量計番号に該作業者の値を設定し、さらに放射線検出部の検出動作の確認結果を設定し送信する。
【０３０５】
次に入退域管理装置２０１の電源部の電圧値の確認結果を通信部に出力する動作を説明する。
【０３０６】
図１２（ｄ）は計数部の計数結果を放射線量に換算する処理を入退域管理装置２０１が実行する場合に電源部の電圧値の確認結果を通知する電文の構成を示す図である。なお、電源部の電圧値の確認は、通常入域処理において実行するので、退域処理の説明を省略する。
【０３０７】
また、電源部の電圧値を判定するまでの動作は実施の形態４と同じなので説明を省略する。
【０３０８】
制御部２１１は図１２（ｄ）の電文区分に入域処理、作業者番号、放射線量、線量計番号に該作業者の値を設定し、さらに電源部の電圧値の確認結果を設定し送信する。
【０３０９】
次に入退域管理装置２０１の電源部を交換したことを示す情報を通信部に出力する動作を説明する。
【０３１０】
図１２（ｅ）は計数部の計数結果を放射線量に換算する処理を入退域管理装置２０１が実行する場合に電源部を交換したことを示す情報を通知する電文の構成を示す図である。なお、電源部の交換は、通常入域処理において実行するので、退域処理の説明を省略する。
【０３１１】
また、電源部を交換するまでの動作は実施の形態４と同じなので説明を省略する。
【０３１２】
制御部２１１は図１２（ｅ）の電文区分に入域処理、作業者番号、放射線量、線量計番号に該作業者の値を設定し、さらに電源部を交換したことを示す情報を設定し送信する。電源部を交換したことを示す情報は、１であれば交換あり、０であれば交換なしと定義する。
【０３１３】
次に入退域管理装置２０１の線量計番号と電源部番号を関連付けて通信部に出力する動作を説明する。
【０３１４】
図１２（ｆ）は計数部の計数結果を放射線量に換算する処理を入退域管理装置２０１が実行する場合に線量計番号と電源部番号を関連付けて送信する電文の構成を示す図である。なお、電源部番号の読取は、通常入域処理において実行するので、退域処理の説明を省略する。
【０３１５】
また、線量計番号と電源部番号の読取結果を入力するまでの動作は実施の形態４と同じなので説明を省略する。
【０３１６】
制御部２１１は図１２（ｆ）の電文区分に入域処理、作業者番号、放射線量、線量計番号に該作業者の値を設定し、さらに電源部番号を設定し送信する。
【０３１７】
次に入退域管理装置２０１の線量計番号と電源部番号を通信部に出力する動作を説明する。
【０３１８】
制御部２１１は［式１］により放射線量を算出する。
【０３１９】
線量計番号読取部２２１は線量計番号記憶部６０（図示せず）の線量計番号を読み取り、読取結果を制御部２１１に出力する。
【０３２０】
制御部２１１は線量計番号読取部２２１から読取結果を入力する。
【０３２１】
制御部２１１は線量計番号と放射線量を関連付けて記憶部２１３に出力する。
【０３２２】
以上のように入退域管理装置２０１は、線量計１の内部にＣＰＵを具備しなくても入退域管理装置２０１の制御部２１１からの制御信号により放射線量の測定ができる。
【０３２３】
さらに、線量計１を管理するための各種データを収集し、外部機器に提供することができる。
【０３２４】
（実施の形態６）
以下、本発明の実施の形態６について、図１３、図１４、図１５を用いて説明する。
【０３２５】
なお、実施の形態１、実施の形態５と同じ部分については、説明を省略する。
【０３２６】
図１３は入退域管理装置システムのブロック構成図である。
【０３２７】
図１３において、４００は線量計１と入退域管理装置２０１と上位計算機３０１により構成される入退域管理装置システムである。
【０３２８】
１は線量計、３０は線量計１の端子部である。
【０３２９】
２０１は入退域管理装置、２１２は入退域管理装置２０１の端子部である。
【０３３０】
３０１は管理区域内で作業する作業者の作業者情報を記憶する上位計算機である。
【０３３１】
４０１は上位計算機３０１と入退域管理装置２０１を接続する通信線であり、例えばＬＡＮケーブルを使用する。
【０３３２】
なお、上位計算機３０１は通信線４０１により複数の入退域管理装置２０１と接続されている。
【０３３３】
図１４は上位計算機のブロック構成図である。
【０３３４】
３０１は上位計算機である。
【０３３５】
３１１は上位計算機３０１全体を制御する制御部であり、例えばＣＰＵを使用する。
【０３３６】
３１２は入退域管理装置２０１と通信する通信部であり、例えばＬＡＮを使用する。
【０３３７】
３１３は管理区域内で作業する作業者の作業者情報と計数部の計数結果を放射線量に換算するための換算定数を線量計毎に個別に記憶する記憶部であり、例えばハードディスクを使用する。
【０３３８】
なお、作業者情報は作業者番号と該作業者が使用する線量計の線量計番号と該作業者の入域退域実績として入域および退域の年月日時分秒を過去Ｎ回（Ｎは正の整数）分記憶する。
【０３３９】
記憶部３１３の定義については、図１５において詳細に説明する。
【０３４０】
３１４は動作状態などを表示する表示部であり、例えば液晶表示装置を使用する。
【０３４１】
３１５は操作情報を入力するキー入力部であり、例えばキーボードを使用する。
【０３４２】
３１６は記憶部３１３から計数部の計数結果を放射線量に換算するための換算定数を検索する換算定数検索部であり、線量計番号を検索キーとして換算定数を検索する。
【０３４３】
３１７は記憶部３１３に作業者情報を書き込む作業者情報書込部であり、作業者番号を検索キーとして作業者情報を書き込む。
【０３４４】
図１５は、記憶部の定義を示す図である。
【０３４５】
記憶部３１３は線量計情報として、線量計番号−電源部番号−換算定数を記憶する。線量計番号−電源部番号−換算定数は、線量計番号と電源部番号−換算定数を関連付けて記憶する状態を示しており、線量計番号を主キーとし該線量計に使用されている電源部４０の電源部番号と換算定数を記憶する。
【０３４６】
また、作業者情報として、放射線量情報と入域退域実績情報を記憶する。
【０３４７】
放射線量情報は、線量計番号−放射線量を記憶する。線量計番号−放射線量は、線量計番号と放射線量を関連付けて記憶する状態を示しており、線量計番号を主キーとし過去Ｎ回（Ｎは正の整数）の放射線量を履歴データとして記憶する。
【０３４８】
入域退域実績情報は、管理区域内で作業する作業者の作業者情報を記憶する。入域退域実績情報は、作業者番号と該作業者が使用する線量計の線量計番号と該作業者の入域退域実績として入域および退域の年月日時分秒を過去Ｎ回（Ｎは正の整数）分記憶する状態を示しており、作業者番号を主キーとし過去Ｎ回（Ｎは正の整数）の入域退域実績を履歴データとして記憶する。
【０３４９】
履歴データは、ＦＩＦＯ方式で順次更新される。
【０３５０】
なお、線量計１の動作については、実施の形態１において説明しているので省略する。
【０３５１】
また、入退域管理装置２０１の動作については、実施の形態５において説明しているので省略する。
【０３５２】
本実施の形態では、上位計算機３０１が通信部３１２から作業者番号と計数結果と線量計番号を受信した後の動作を説明する。
【０３５３】
制御部３１１は図１２（ｂ）の電文により作業者番号と計数結果と線量計番号を受信する。
【０３５４】
制御部３１１は換算定数検索部３１６に線量計番号を出力する。
【０３５５】
換算定数検索部３１６は該線量計番号を検索キーとして該線量計番号に関連付けられている換算定数を記憶部３１３から検索し制御部３１１に出力する。
【０３５６】
制御部３１１は計数結果と換算定数を［式４］に適用することにより計数結果を放射線量に換算する。なお、換算定数（線量計番号）は、換算定数が線量計番号に関連付けられていること示しており、線量計番号を入力することで換算定数が決定される。
【０３５７】
【数４】
2005249579.tif 000006
【０３５８】
制御部３１１は作業者情報書込部３１７に作業者番号と放射線量と線量計番号を出力する。
【０３５９】
作業者情報書込部３１７は作業者番号を検索キーとして入域退域実績情報から該作業者の線量計番号を検索し、さらに放射線量情報から線量計番号を検索キーとして放射線量１を検索し放射線量１に放射線量を書き込む。
【０３６０】
以上のように入退域管理システム４００は、線量計１の内部にＣＰＵを具備しなくても入退域管理装置２０１の制御部２１１からの制御信号により放射線量の測定ができる。
【０３６１】
さらに、線量計１を管理するための各種データを収集し、上位計算機３０１において一元管理することができる。
【０３６２】
（実施の形態７）
以下、本発明の実施の形態７について、図１３、図１６、図１７を用いて説明する。
【０３６３】
なお、実施の形態１、実施の形態５、実施の形態６と同じ部分については、説明を省略する。
【０３６４】
図１３は、実施の形態６と同じなので説明を省略する。
【０３６５】
図１６は上位計算機のブロック構成図である。
【０３６６】
３０１は上位計算機である。
【０３６７】
３１１は上位計算機３０１全体を制御する制御部であり、例えばＣＰＵを使用する。
【０３６８】
３１２は入退域管理装置２０１と通信する通信部であり、例えばＬＡＮを使用する。
【０３６９】
３１３は管理区域内で作業する作業者の作業者情報と線量計の放射線検出部を管理するための放射線検出部管理情報を記憶する記憶部であり、例えばハードディスクを使用する。
【０３７０】
記憶部３１３の定義については、図１７において詳細に説明する。
【０３７１】
３１４は動作状態などを表示する表示部であり、例えば液晶表示装置を使用する。
【０３７２】
３１５は操作情報を入力するキー入力部であり、例えばキーボードを使用する。
【０３７３】
３１８は記憶部３１３に放射線検出部管理情報を書き込む放射線検出部管理情報書込部であり、線量計番号を検索キーとして放射線検出部管理情報を書き込む。
【０３７４】
図１７は、記憶部の定義を示す図である。
【０３７５】
記憶部３１３は放射線検出部管理情報として、線量計番号−放射線検出部の検出動作の確認結果を記憶する。線量計番号−放射線検出部の検出動作の確認結果は、線量計番号と放射線検出部の検出動作の確認結果を関連付けて記憶する状態を示しており、線量計番号を主キーとし該線量計の放射線検出部の検出動作の確認結果を記憶する。
【０３７６】
また、作業者情報として、放射線量情報と入域退域実績情報を記憶する。
【０３７７】
放射線量情報は、線量計番号−放射線量を記憶する。線量計番号−放射線量は、線量計番号と放射線量を関連付けて記憶する状態を示しており、線量計番号を主キーとし過去Ｎ回（Ｎは正の整数）の放射線量を履歴データとして記憶する。
【０３７８】
入域退域実績情報は、管理区域内で作業する作業者の作業者情報を記憶する。入域退域実績情報は、作業者番号と該作業者が使用する線量計の線量計番号と該作業者の入域退域実績として入域および退域の年月日時分秒を過去Ｎ回（Ｎは正の整数）分記憶する状態を示しており、作業者番号を主キーとし過去Ｎ回（Ｎは正の整数）の入域退域実績を履歴データとして記憶する。
【０３７９】
履歴データは、ＦＩＦＯ方式で順次更新される。
【０３８０】
なお、線量計１の動作については、実施の形態１において説明しているので省略する。
【０３８１】
また、入退域管理装置２０１の動作については、実施の形態５において説明しているので省略する。
【０３８２】
本実施の形態では、上位計算機３０１が通信部３１２から放射線検出部の検出動作の確認結果と線量計番号を受信した後の動作を説明する。
【０３８３】
制御部３１１は図１２（ｃ）の電文により放射線検出部の検出動作の確認結果と線量計番号を受信する。
【０３８４】
制御部３１１は放射線検出部管理情報書込部３１８に線量計番号と放射線検出部の検出動作の確認結果を出力する。
【０３８５】
放射線検出部管理情報書込部３１８は線量計番号を検索キーとして放射線検出部管理情報から放射線検出部の検出動作の確認結果を検索し先に受信した放射線検出部の検出動作の確認結果を書き込む。
【０３８６】
以上のように入退域管理システム４００は、線量計１を管理するための各種データを収集し、上位計算機３０１において一元管理することができる。
【０３８７】
（実施の形態８）
以下、本発明の実施の形態８について、図１３、図１８、図１９を用いて説明する。
【０３８８】
なお、実施の形態１、実施の形態５、実施の形態６と同じ部分については、説明を省略する。
【０３８９】
図１３は、実施の形態６と同じなので説明を省略する。
【０３９０】
図１８は上位計算機のブロック構成図である。
【０３９１】
３０１は上位計算機である。
【０３９２】
３１１は上位計算機３０１全体を制御する制御部であり、例えばＣＰＵを使用する。
【０３９３】
３１２は入退域管理装置２０１と通信する通信部であり、例えばＬＡＮを使用する。
【０３９４】
３１３は管理区域内で作業する作業者の作業者情報と線量計の放射線検出部を管理するための放射線検出部管理情報を記憶する記憶部であり、例えばハードディスクを使用する。
【０３９５】
記憶部３１３の定義については、図１９において詳細に説明する。
【０３９６】
３１４は動作状態などを表示する表示部であり、例えば液晶表示装置を使用する。
【０３９７】
３１５は操作情報を入力するキー入力部であり、例えばキーボードを使用する。
【０３９８】
３１９は記憶部３１３に電源部管理情報を書き込む電源部管理情報書込部であり、線量計番号を検索キーとして電源部管理情報を書き込む。
【０３９９】
図１９は、記憶部の定義を示す図である。
【０４００】
記憶部３１３は電源部管理情報として、線量計番号−電源部の電圧値の確認結果を記憶する。線量計番号−電源部の電圧値の確認結果は、線量計番号と電源部の電圧値の確認結果を関連付けて記憶する状態を示しており、線量計番号を主キーとし該線量計の電源部の電圧値の確認結果を記憶する。
【０４０１】
また、作業者情報として、放射線量情報と入域退域実績情報を記憶する。
【０４０２】
放射線量情報は、線量計番号−放射線量を記憶する。線量計番号−放射線量は、線量計番号と放射線量を関連付けて記憶する状態を示しており、線量計番号を主キーとし過去Ｎ回（Ｎは正の整数）の放射線量を履歴データとして記憶する。
【０４０３】
入域退域実績情報は、管理区域内で作業する作業者の作業者情報を記憶する。入域退域実績情報は、作業者番号と該作業者が使用する線量計の線量計番号と該作業者の入域退域実績として入域および退域の年月日時分秒を過去Ｎ回（Ｎは正の整数）分記憶する状態を示しており、作業者番号を主キーとし過去Ｎ回（Ｎは正の整数）の入域退域実績を履歴データとして記憶する。
【０４０４】
履歴データは、ＦＩＦＯ方式で順次更新される。
【０４０５】
なお、線量計１の動作については、実施の形態１において説明しているので省略する。
【０４０６】
また、入退域管理装置２０１の動作については、実施の形態５において説明しているので省略する。
【０４０７】
本実施の形態では、上位計算機３０１が通信部３１２から電源部の電圧値の確認結果と線量計番号を受信した後の動作を説明する。
【０４０８】
制御部３１１は図１２（ｄ）の電文により電源部の電圧値の確認結果と線量計番号を受信する。
【０４０９】
制御部３１１は電源部管理情報書込部３１９に線量計番号と電源部の電圧値の確認結果を出力する。
【０４１０】
電源部管理情報書込部３１９は線量計番号を検索キーとして電源部管理情報から電源部の電圧値の確認結果を検索し先に受信した電源部の電圧値の確認結果を書き込む。
【０４１１】
以上のように入退域管理システム４００は、線量計１を管理するための各種データを収集し、上位計算機３０１において一元管理することができる。
【産業上の利用可能性】
【０４１２】
本発明の線量計は、内部にＣＰＵを具備することなく放射線量の測定を可能とし、大幅なコストダウンを実現することができる。
【０４１３】
さらに線量計を読み取るための読取装置、線量計を使用した入退域管理装置および入退域管理装置システムは線量計の放射線量の測定を行うとともに、線量計管理に必要な各種データを提供することができる。
【図面の簡単な説明】
【０４１４】
【図１】線量計のブロック構成図
【図２】端子部の信号の定義を示す図
【図３】線量計の外観図および内部構造を示す断面図（ａ）線量計の右側面図（ｂ）Ａ−Ａ‘における断面図であり電源部を挿入する前の状態を示す断面図（ｃ）Ａ−Ａ‘における断面図であり電源部を挿入した後の状態を示す断面図
【図４】読取装置のブロック構成図
【図５】放射線検出部の検出動作を確認するための信号を示す図
【図６】記憶部の定義を示す図
【図７】入退域管理装置のブロック構成図
【図８】表示部の表示構成を示す図
【図９】記憶部の定義を示す図
【図１０】入退域管理装置のブロック構成図
【図１１】記憶部の定義を示す図（ａ）計数部の計数結果を放射線量に換算する処理を入退域管理装置２０１が実行する場合の記憶部の定義を示す図（ｂ）計数部の計数結果を放射線量に換算する処理を上位計算機３０１が実行する場合の記憶部の定義を示す図
【図１２】上位計算機に送信する電文の構成を示す図（ａ）計数部の計数結果を放射線量に換算する処理を入退域管理装置２０１が実行する場合の電文の構成を示す図（ｂ）計数部の計数結果を放射線量に換算する処理を上位計算機３０１が実行する場合の電文の構成を示す図（ｃ）計数部の計数結果を放射線量に換算する処理を入退域管理装置２０１が実行する場合に放射線検出部の検出動作の確認結果を通知する電文の構成を示す図（ｄ）計数部の計数結果を放射線量に換算する処理を入退域管理装置２０１が実行する場合に電源部の電圧値の確認結果を通知する電文の構成を示す図（ｅ）計数部の計数結果を放射線量に換算する処理を入退域管理装置２０１が実行する場合に電源部を交換したことを示す情報を通知する電文の構成を示す図（ｆ）計数部の計数結果を放射線量に換算する処理を入退域管理装置２０１が実行する場合に線量計番号と電源部番号を関連付けて送信する電文の構成を示す図
【図１３】入退域管理装置システムのブロック構成図
【図１４】上位計算機のブロック構成図
【図１５】記憶部の定義を示す図
【図１６】上位計算機のブロック構成図
【図１７】記憶部の定義を示す図
【図１８】上位計算機のブロック構成図
【図１９】記憶部の定義を示す図
【図２０】従来の電子式線量計のブロック構成図
【符号の説明】
【０４１５】
１  線量計
１０  放射線検出部
１１  放射線検出部信号線
１２  計数部信号線
１３  検出確認信号線
２０  計数部
３０  線量計の端子部
４０  電源部
４１  ボタン電池
４２  電源端子
４３  ロック機構
４４  電源部番号記憶部
４５  電源供給線
５０  線量計のノイズ除去部
５１  電源端子
５２  電源部挿入部
５３  ロックリリースピン
５４  ロックリリースピン挿入部
５５  基板
５６  突部
６０  線量計番号記憶部
１０１  読取装置
１１１  制御部
１１２  読取装置の端子部
１１３  記憶部
１１４  表示部
１１５  キー入力部
１１６  読取装置のノイズ除去部
１１７  検出信号生成部
１１８  電圧測定部
１１９  電源交換部
１２０  電源部番号読取部
１２１  線量計番号読取部
２０１  入退域管理装置
２１１  制御部
２１２  入退域管理装置の端子部
２１３  記憶部
２１４  表示部
２１５  作業者番号読取部
２１６  ノイズ除去部
２１７  検出信号生成部
２１８  電圧測定部
２１９  電源交換部
２２０  電源部番号読取部
２２１  線量計番号読取部
２２２  充電部
２２３  通信部
３０１  上位計算機
３１１  制御部
３１２  通信部
３１３  記憶部
３１４  表示部
３１５  キー入力部
３１６  換算定数検索部
３１７  作業者情報書込部
３１８  放射線検出部管理情報書込部
３１９  電源部管理情報書込部
４００  入退域管理システム
４０１  通信線
【図１】
2005249579.tif 000007
【図２】
2005249579.tif 000008
【図３】
2005249579.tif 000009
【図４】
2005249579.tif 000010
【図５】
2005249579.tif 000011
【図６】
2005249579.tif 000012
【図７】
2005249579.tif 000013
【図８】
2005249579.tif 000014
【図９】
2005249579.tif 000015
【図１０】
2005249579.tif 000016
【図１１】
2005249579.tif 000017
【図１２】
2005249579.tif 000018
【図１３】
2005249579.tif 000019
【図１４】
2005249579.tif 000020
【図１５】
2005249579.tif 000021
【図１６】
2005249579.tif 000022
【図１７】
2005249579.tif 000023
【図１８】
2005249579.tif 000024
【図１９】
2005249579.tif 000025
【図２０】
2005249579.tif 000026